(57)【要約】【課題】プロジェクターを天吊設置したときに、吸気口近傍の温度の高い空気がプロジェクターの内部に入り、冷却効率が低下するのを防止する。【解決手段】天吊装置４０はプロジェクター１の吸気口３の近傍の空気を撹拌する外部ファン４０２と、外部ファン４０２の送風方向を変更する外部ファン首振部４０３を備えたことを特徴とする。【選択図】図１
2013125054.tif 000002
【特許請求の範囲】
【請求項１】
画像を投写するプロジェクターを吊り下げ、支持する天吊装置であって、
回転して空気を送風することにより撹拌する外部ファンと、
前記外部ファンの送風方向を変更する外部ファン首振部と、
を備えたことを特徴とする、天吊装置。
【請求項２】
請求項１に記載の天吊装置であって、
前記外部ファン首振部は、
前記外部ファンの回転に連動して前記外部ファンの送風方向を変更する、
ことを特徴とする、天吊装置。
【請求項３】
請求項１または２に記載の天吊装置であって、
ユーザーの遠隔操作を受け付ける操作信号受信手段と、
前記操作信号受信手段が所定の操作を受け付けた場合に、前記外部ファンおよび/または前記外部ファン首振部を動作させる外部ファン制御手段と、
をさらに備えたことを特徴とする、天吊装置。
【請求項４】
請求項１から３のいずれか一項に記載の天吊装置と、画像を投写するプロジェクターを備えたプロジェクターシステムであって、
前記プロジェクターは、当該プロジェクターの筐体近傍の空気を導入する吸気口を備え、
前記天吊装置の前記外部ファンが回転して送風することにより前記吸気口近傍の空気を撹拌することを特徴とする、プロジェクターシステム。
【請求項５】
請求項４に記載のプロジェクターシステムであって、
前記天吊装置は、
電源に接続され、前記プロジェクターの電源部に電力を供給する電源制御部をさらに備えたことを特徴とする、プロジェクターシステム。
【請求項６】
画像を投写して表示し、筐体近傍の空気を導入する吸気口を備えたプロジェクターと、
当該プロジェクターを吊り下げ、支持し、回転して送風することにより前記吸気口近傍の空気を撹拌する外部ファンと、前記外部ファンの送風方向を変更する外部ファン首振部を備えた天吊装置と、
を備えるプロジェクターシステムの制御方法であって、
ユーザーの操作を受け付ける操作受付ステップと、
前記操作検出ステップが受け付けた前記操作に基づき、前記外部ファン及び、前記外部ファン首振部の動作を制御する外部ファン制御ステップと、を備えたことを特徴とする、プロジェクターシステムの制御方法。
【発明の詳細な説明】
【技術分野】
【０００１】
本発明は、天吊装置、プロジェクターシステム、及びプロジェクターシステムの制御方法に関する。
【背景技術】
【０００２】
プロジェクターは吸気口から吸い込んだ空気によって内部を冷却し、排気口から筐体内部の熱せられた空気を排出するように構成されている。このようなプロジェクターを天吊設置して使う場合、天井付近に滞留した熱い空気が吸気口に入り込むことになり、冷却効率が低下するという問題があった。また、吸気口付近にたまった埃を吸気口から吸い込みやすいという問題もあった。
【０００３】
特許文献１には天吊装置に設置したファンにより、筐体内部に空気を送り込み、冷却するプロジェクターが開示されている。このようなプロジェクターによれば、強制的に筐体内部に空気を送り込むことで、筐体内部の吸気ファンのみ使う場合よりは冷却効率を高めることができる。
【先行技術文献】
【特許文献】
【０００４】
【特許文献１】特開２００６−２５９２８９号公報
【発明の概要】
【発明が解決しようとする課題】
【０００５】
しかし、特許文献１の天吊設置では、天井付近に滞留した熱い空気を筐体内部に送り込むため、内部を十分に冷却できないという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る天吊装置は、画像を投写するプロジェクターを吊り下げ、支持する天吊装置であって、回転して空気を送風することにより撹拌する外部ファンと、前記外部ファンの送風方向を変更する外部ファン首振部と、を備えたことを特徴とする。
【０００８】
本適用例によれば、天吊装置に備えられた、送風方向を変更可能な外部ファンにより、プロジェクターの吸気口付近に送風することで、空気を広範囲に撹拌することができるので、プロジェクターの吸気口付近に滞留した熱い空気が、プロジェクターの吸気口から導入されるのを防ぐことができ、プロジェクター内部を効率的に冷却することが可能となる。
【０００９】
［適用例２］上記適用例に記載の天吊装置において、前記外部ファン首振部は、前記外部ファンの回転に連動して前記外部ファンの送風方向を変更する、ことを特徴とする。
【００１０】
本適用例によれば、プロジェクターの吸気口付近の空気を撹拌する外部ファンの回転に連動して、外部ファン首振部によって外部ファンの送風方向を変更するので、外部ファンの動作のみで、送風方向の変更を同時に行うことが可能となる。
【００１１】
［適用例３］上記適用例に記載の天吊装置において、ユーザーの遠隔操作を受け付ける操作信号受信手段と、前記操作信号受信手段が所定の操作を受け付けた場合に、前記外部ファンおよび/または前記外部ファン首振部を動作させる外部ファン制御手段と、をさらに備えたことを特徴とする。
【００１２】
本適用例によれば、ユーザーの遠隔操作によって天吊装置の外部ファンを動作させることができるので、プロジェクターを使用していない状態でも、吸気口付近にたまった埃を吹き飛ばすことが可能となる。
【００１３】
［適用例４］本適用例に係るプロジェクターシステムは、上記適用例に記載の天吊装置と、画像を投写するプロジェクターを備えたプロジェクターシステムであって、前記プロジェクターは、当該プロジェクターの筐体近傍の空気を導入する吸気口を備え、前記天吊装置の前記外部ファンが回転して送風することにより前記吸気口近傍の空気を撹拌することを特徴とする。
【００１４】
本適用例によれば、天吊装置に備えられた、送風方向を変更可能な外部ファンにより、プロジェクターの吸気口付近に送風することで、空気を広範囲に撹拌することができるので、プロジェクターの吸気口付近に滞留した熱い空気がプロジェクターの吸気口から導入されるのを防ぐことでき、プロジェクター内部を効率的に冷却することが可能となる。
【００１５】
［適用例５］上記適用例に記載のプロジェクターシステムにおいて、前記天吊装置は、電源に接続され、前記プロジェクターの電源部に電力を供給する電源制御部をさらに備えたことを特徴とする。
【００１６】
本適用例によれば、天吊装置からプロジェクターに電源を供給することができる。これにより、プロジェクターを天吊設置する場合の電源配線を簡易にすることが可能となる。
【００１７】
［適用例６］本適用例に係るプロジェクターシステムの制御方法は、画像を投写して表示し、筐体近傍の空気を導入する吸気口を備えたプロジェクターと、当該プロジェクターを吊り下げ、支持し、回転して送風することにより前記吸気口近傍の空気を撹拌する外部ファンと、前記外部ファンの送風方向を変更する外部ファン首振部を備えた天吊装置と、を備えるプロジェクターシステムの制御方法であって、ユーザーの操作を受け付ける操作受付ステップと、前記操作検出ステップが受け付けた前記操作に基づき、前記外部ファン及び、前記外部ファン首振部の動作を制御する外部ファン制御ステップと、を備えたことを特徴とする。
【００１８】
本適用例によれば、天吊装置に備えられた、送風方向を変更可能な外部ファンにより、プロジェクターの吸気口付近に送風することで、空気を広範囲に撹拌することができるので、プロジェクターの吸気口付近に滞留した熱い空気がプロジェクターの吸気口から導入されるのを防ぐことでき、プロジェクター内部を効率的に冷却することが可能となる。
【図面の簡単な説明】
【００１９】
【図１】プロジェクターシステムの斜視図。
【図２】天吊装置の外部ファン首振部の動作を示す図。（ａ）は外部ファンが前面方向、（ｂ）は外部ファンが斜め方向に向いている状態を示す。
【図３】プロジェクターシステムの概略構成を示すブロック図。
【図４】天吊装置の動作を示すフローチャート。（ａ）は外部ファン操作信号を受信したとき、（ｂ）は外部ファン操作コマンドを受信したとき、の動作を示す。
【図５】プロジェクターの動作を示すフローチャート。（ａ）は電源オン操作を検出したとき、（ｂ）は電源オフ操作を検出したとき、の動作を示す。
【図６】天吊装置とプロジェクターの相関関係を示すフローチャート。
【発明を実施するための形態】
【００２０】
以下、添付図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２１】
（第１実施形態）
図１は本実施形態のプロジェクターシステム１００の設置状態を示す斜視図である。
図１に示すように、プロジェクターシステム１００は、プロジェクター１と、天吊装置４０とを備え、プロジェクター１は天吊装置４０に支持され、天吊される。
プロジェクター１の筐体２の前面２ｆの開口部からは、投写レンズ１３が露出しており、筐体２の底面２ｂ（天吊したとき上方向になる）には吸気口３が備えられ、筐体２の右側面２ｒには排気口８が備えられている。
【００２２】
天吊装置４０には、プロジェクター１の吸気口３の近傍の空気を撹拌するための外部ファン４０２が備えられている。外部ファン４０２は外部ファン首振部４０３により送風方向を変更可能になっている。プロジェクター１と天吊装置４０は通信ケーブル３０で接続され、通信を行うようになっている。
【００２３】
図２は外部ファン首振部４０３の動作を示す平面図である。（ａ）は外部ファンが前面２ｆ方向、（ｂ）は外部ファンが前面２ｆに対して斜め方向に向いている状態を示す。
図２（ａ）のように、外部ファン首振部４０３はガイドレール４０３ａ、回転板４０３ｃなどから構成されている。
ガイドレール４０３ａは、外部ファン４０２の底部に設置されており、外部ファン４０２とともに、ガイドレール４０３ａの一端側にある回転軸４０３ｐを軸として回動すると、他端側が円弧状に移動可能になっている。ガイドレール４０３ａにはスリット４０３ｂが設けられており、回転板４０３ｃ上のガイドピン４０３ｄがスリット４０３ｂをスライド移動する構造になっている。
【００２４】
図２（ｂ）に示すように、回転板４０３ｃが図示しない、モーター、減速機構などで回転すると、ガイドピン４０３ｄが回転板４０３ｃの円周上を円弧状に移動し、ガイドレール４０３ａが回転軸４０３ｐを中心に回動して移動する。ガイドレール４０３ａと外部ファン４０２がともに回動する（首振動作とも称する）ことで、外部ファン４０２の送風方向を変える。このような外部ファン４０２の回転と外部ファン首振部４０３による外部ファン４０２の首振動作とを含み「外部ファンの動作」とも称する。
また、回転板４０３ｃはモーターでなく、外部ファン４０２の回転に連動し、図示しない伝達機構により、連動して回転するようにしてもよい。
【００２５】
図３は本実施形態のプロジェクターシステム１００の概略構成を示すブロック図である。
図３に示すようにプロジェクターシステム１００は、プロジェクター１と、天吊装置４０とを備えて構成される。
天吊装置４０は、外部ファン制御手段４０１、外部ファン４０２、外部ファン首振部４０３、操作信号受信手段４０４等で構成されており、天吊装置４０の筐体内に収容されている。
プロジェクター１は、吸気口３、排気口８、画像投写手段１０、ＯＳＤ処理手段１６、画像信号処理手段１７、画像信号入力手段１８、制御手段２０、記憶手段２１、入力操作手段２３、光源制御手段２５、ファン制御手段２６、吸気ファン２７、排気ファン２８等で構成されており、これらはプロジェクター１の筐体２の内部に収容されている。
【００２６】
外部ファン制御手段４０１は、操作信号受信手段４０４、または通信ケーブル３０を介した、プロジェクター１からの制御コマンドにより、外部ファン４０２の回転、及び外部ファン首振部４０３の首振動作を制御する。
【００２７】
操作信号受信手段４０４は、図示しないリモートコントローラー（リモコン／ＲＣ）からの遠隔操作により、外部ファン４０２、及び外部ファン首振部４０３の動作についての操作信号を受信し、外部ファン制御手段４０１に通達する。
【００２８】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。画像投写手段１０が表示手段に相当する。
【００２９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３１】
本実施形態では、光源１１として光源ランプ１１ａを用いて投写するプロジェクター１を例示したが、本発明は、光源としてＬＥＤ（Light emitting diode）光源やレーザー光源などを用いて投写するプロジェクターにも適用することができる。また、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３２】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００３３】
記憶手段２１は、フラッシュメモリーやＦｅＲＡＭ（Ferroelectric RAM：強誘電体メモリー）等の書き換え可能な不揮発性のメモリーにより構成されている。プロジェクター１の動作を制御するための制御プログラムや、プロジェクター１の動作条件等を規定する各種設定データ等が記憶されている。本実施形態ではプロジェクター１の設置状態（天吊設定または正置設定）などが保存される。
【００３４】
入力操作手段２３は、プロジェクター１が、ユーザーからの入力操作を受け付けるものである。入力操作手段２３は、図示は省略するが、ユーザーがプロジェクター１に対して各種指示を行うための複数の操作キーを備えており、プロジェクター１の筐体２外面に備えられる本体キーまたは、遠隔操作で入力操作を行うリモートコントローラー（リモコン）で構成される。
入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００３５】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３６】
画像信号入力手段１８は、複数の画像入力端子を備えており、各画像入力端子より、ビデオ再生装置やパーソナルコンピューター等、外部の画像出力装置から、図示しないケーブルを介して画像情報が入力される。
また、画像信号入力手段１８は、図示しない無線信号受信手段を備え、無線信号受信手段を介して外部機器と無線通信（電波通信、光無線通信など）することによって画像情報を入力する構成としてもよい。
【００３７】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３８】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３９】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００４０】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４１】
光源制御手段２５は、制御手段２０の指示に基づいて、光源１１に対する電力の供給と停止とを制御し、光源１１の点灯、及び消灯を切り替える。
【００４２】
ファン制御手段２６は、吸気ファン２７、及び排気ファン２８の回転動作、及び通信ケーブル３０を介して天吊装置４０の外部ファン制御手段４０１に、外部ファン４０２、及び外部ファン首振部４０３の動作をさせるためのコマンド送信、応答受信を行う。また、ファン制御手段２６は通信ケーブル３０を介して、天吊装置４０の接続の有無を検出し、制御手段２０に通知する。
【００４３】
次に、本実施形態のプロジェクターシステム１００の動作を図４〜図６のフローチャートを用いて説明する。
【００４４】
（天吊装置が外部ファン操作信号を受信したときの動作）
図４（ａ）に示すように、天吊装置４０の操作信号受信手段４０４が、ユーザーの操作による外部ファン操作信号を検出して受け付けると（ステップＳ１０１）、ステップＳ１０２に遷移する。
【００４５】
ステップＳ１０２において外部ファン制御手段４０１は、ステップＳ１０１において受け付けた外部ファン操作信号に基づき、外部ファン４０２の回転の開始／停止、外部ファン首振部４０３の首振動作の開始／停止の制御を行い、ステップＳ１０３に遷移する。
【００４６】
ステップＳ１０３において本動作フローを終了する。
【００４７】
（天吊装置が外部ファン制御コマンドを受信したときの動作）
図４（ｂ）に示すように、天吊装置４０の外部ファン制御手段４０１が、ユーザーの操作による制御コマンドを、プロジェクター１から通信ケーブル３０を介し受信する（操作を受け付ける）と（ステップＳ２０１）、ステップＳ２０２に遷移する。
【００４８】
ステップＳ２０２において外部ファン制御手段４０１は、ステップＳ２０１において受信した制御コマンドに基づき、外部ファン４０２の回転の開始／停止、外部ファン首振部４０３の首振動作の開始／停止の制御を行い、ステップＳ２０３に遷移する。
【００４９】
ステップＳ２０３において本動作フローを終了する。
【００５０】
上述の天吊装置の動作において、ステップＳ１０１，Ｓ２０１が操作受付ステップに相当し、ステップＳ１０２，Ｓ２０２が外部ファン制御ステップに相当する。
【００５１】
（プロジェクターが電源オン操作を検出したときの動作）
図５（ａ）に示すように、プロジェクター１が入力操作手段２３への電源オン操作を検出すると（ステップＳ３０１）、ステップＳ３０２に遷移する。
【００５２】
ステップＳ３０２において光源制御手段２５が光源１１を点灯する。次にファン制御手段２６が、吸気ファン２７、及び排気ファン２８の動作制御を開始し、ステップＳ３０３に遷移する。
【００５３】
ステップＳ３０３において制御手段２０は、プロジェクター１が天吊設定で、かつ天吊装置４０が接続されているか否かを調べる。プロジェクター１が天吊設定で、かつ天吊装置４０が接続されている場合（ステップＳ３０３：Ｙ）、ステップＳ３０４に遷移する。プロジェクター１が天吊設定でない（正置設定）か、天吊装置４０が接続されていない場合（ステップＳ３０３：Ｎ）、ステップＳ３０５に遷移する。
【００５４】
ステップＳ３０４において制御手段２０は、ファン制御手段２６により、外部ファン４０２を動作させるための制御コマンドを天吊装置４０に送信し、ステップＳ３０５に遷移する。
【００５５】
ステップＳ３０５において、制御手段２０は、画像信号入力手段１８に入力される画像信号の投写を開始し、本フローを終了する。
【００５６】
（プロジェクターが電源オフ操作を検出したときの動作）
図５（ｂ）に示すように、プロジェクター１が入力操作手段２３への電源オフ操作を検出すると（ステップＳ４０１）、ステップＳ４０２に遷移する。
【００５７】
ステップＳ４０２において光源制御手段２５が光源１１を消灯し、ステップＳ４０３に遷移する。
【００５８】
ステップＳ４０３において制御手段２０は、プロジェクター１が天吊設定で、かつ天吊装置４０が接続されているか否かを調べる。プロジェクター１が天吊設定で、かつ天吊装置４０が接続されている場合（ステップＳ４０３：Ｙ）、ステップＳ４０４に遷移する。プロジェクター１が天吊設定でない（正置設定）か、天吊装置４０が接続されていない場合（ステップＳ４０３：Ｎ）、ステップＳ４０５に遷移する。
【００５９】
ステップＳ４０４において制御手段２０は、ファン制御手段２６により、外部ファン４０２を停止させるための制御コマンドを天吊装置４０に送信し、ステップＳ４０５に遷移する。
【００６０】
ステップＳ４０５において、制御手段２０は、プロジェクター１の電源をオフしてスタンバイ状態に移行させ、本フローを終了する。
【００６１】
次に、本実施形態のプロジェクターシステム１００の動作を図６のフローチャートを用いて説明する。図６はプロジェクターシステム１００の動作を示すフローチャートであり、（ａ）はプロジェクターが電源オン操作を検出したときのフロー、（ｂ）はプロジェクターが電源オフ操作を検出したときのフロー、を示す。
（プロジェクターが電源オン操作を検出したときのフロー）
図６（ａ）に示すように、プロジェクター１が入力操作手段２３への電源オン操作を検出すると（ステップＳ５０１）、光源制御手段２５が光源１１を点灯し、ファン制御手段２６が、吸気ファン２７、及び排気ファン２８の動作制御を開始させ（ステップＳ５０２）、ステップＳ５０３に遷移する。
【００６２】
ステップＳ５０３において制御手段２０は、プロジェクター１が天吊設定で、かつ天吊装置４０が接続されているか否かを調べる。プロジェクター１が天吊設定で、かつ天吊装置４０が接続されている場合（ステップＳ５０３：Ｙ）、ステップＳ５０４に遷移する。プロジェクター１が天吊設定でない（正置設定）か、天吊装置４０が接続されていない場合（ステップＳ５０３：Ｎ）、ステップＳ５０５に遷移する。
【００６３】
ステップＳ５０４において制御手段２０は、ファン制御手段２６により、外部ファン４０２を動作させるための制御コマンドを天吊装置４０に送信し、ステップＳ５０５に遷移する。
【００６４】
天吊装置４０は、外部ファン４０２を動作させる制御コマンドを受信すると（ステップＳ７０１）、外部ファン４０２の回転を開始し、外部ファン首振部４０３の首振動作を開始する（ステップＳ７０２）。天吊装置は上記で本フローを終了する（ステップＳ７０３）。
【００６５】
ステップＳ５０５において、制御手段２０は、画像信号入力手段１８に入力される画像信号の投写を開始し、本フローを終了する。
【００６６】
（プロジェクターが電源オフ操作を検出したときのフロー）
図６（ｂ）に示すように、プロジェクター１が入力操作手段２３への電源オフ操作を検出すると（ステップＳ６０１）、光源制御手段２５が光源１１を消灯し（ステップＳ６０２）、ステップＳ６０３に遷移する。
【００６７】
ステップＳ６０３において制御手段２０は、プロジェクター１が天吊設定で、かつ天吊装置４０が接続されているか否かを調べる。プロジェクター１が天吊設定で、かつ天吊装置４０が接続されている場合（ステップＳ６０３：Ｙ）、ステップＳ６０４に遷移する。プロジェクター１が天吊設定でない（正置設定）か、天吊装置４０が接続されていない場合（ステップＳ６０３：Ｎ）、ステップＳ６０５に遷移する。
【００６８】
ステップＳ６０４において制御手段２０は、ファン制御手段２６により、外部ファン４０２を停止させるための制御コマンドを天吊装置４０に送信し、ステップＳ６０５に遷移する。
【００６９】
天吊装置４０は、外部ファン４０２を停止させる制御コマンドを受信すると（ステップＳ８０１）、外部ファン４０２の回転を停止し、外部ファン首振部４０３の首振動作を停止する（ステップＳ８０２）。天吊装置は上記で本フローを終了する（ステップＳ８０３）。
【００７０】
ステップＳ６０５において、制御手段２０は、プロジェクター１の電源をオフしてスタンバイ状態に移行させ、本フローを終了する。
【００７１】
以上、説明したように、本実施形態のプロジェクターシステム１００によれば、天吊装置４０に備えられた、送風方向を変更可能な外部ファン４０２により、プロジェクター１の吸気口３付近に送風することで空気を広範囲に撹拌することができるので、プロジェクター１の吸気口３付近に滞留した熱い空気がプロジェクター１の吸気口３から導入されるのを防ぐことでき、プロジェクター１の内部を効率的に冷却することが可能となる。
また、外部ファン４０２の回転に連動して、外部ファン首振部４０３によって外部ファン４０２の送風方向を変更するので、外部ファン４０２の動作のみで、送風方向の変更を同時に行うことが可能となる。
また、天吊装置４０は、図示しない電源制御部を備え、プロジェクター１に電力を供給することも可能である。これにより、天吊装置４０、及びプロジェクター１の周辺の電源配線を簡易にすることが可能となる。
【００７２】
また、上記実施形態は、以下のように変更してもよい。
（変形例１）
上記実施形態において、天吊装置４０に吸気口３近傍の温度を検出する温度検出手段を備え、検出した温度に従い、外部ファン４０２を動作させるようにしてもよい。また、プロジェクター１のファン制御手段２６に通知するようにしてもよい。これにより、吸気口近傍の検出温度に基づき、効率的に外部ファンの制御を行うことが可能となる。
【符号の説明】
【００７３】
１００…プロジェクターシステム、４０…天吊装置、４０１…外部ファン制御手段、４０２…外部ファン、４０３…外部ファン首振部、４０３ａ…ガイドレール、４０３ｂ…スリット、４０３ｃ…回転板、４０３ｄ…ガイドピン、４０３ｐ…回転軸、４０４…操作信号受信手段、１…プロジェクター、２…筐体、３…吸気口、８…排気口、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２３…入力操作手段、２５…光源制御手段、２６…ファン制御手段、２７…吸気ファン、２８…排気ファン、３０…通信ケーブル。
【図１】
2013125054.tif 000003
【図２】
2013125054.tif 000004
【図３】
2013125054.tif 000005
【図４】
2013125054.tif 000006
【図５】
2013125054.tif 000007
【図６】
2013125054.tif 000008